【手続補正書】
【提出日】令和2年6月25日(2020.6.25)
【手続補正１】
【補正対象書類名】明細書
【補正対象項目名】０２４３
【補正方法】変更
【補正の内容】
【０２４３】
本明細書全体にわたる従来技術に対するいかなる議論も、決してこのような従来技術が広く知られているか、または該当分野における共通の一般的な知識の一部を形成することを認めるものと見なされてはならない。
なお、本発明の実施形態として、以下のものも含まれる。
[実施形態１]
ダストデビル及びウォータースパウトからなる群のうちの１つに類似した渦を生成するための渦ステーションであって、
前記渦ステーションのための基部を形成する地面プラットフォーム、
空気流を実質的に旋回する（ｓｗｉｒｌｉｎｇ）方式で渦ステーション内に、そして前記渦ステーションの周囲に誘導するための複数のベーン；
集中した空気流の経路内において、前記渦ステーションの中心近所に配置された少なくとも１つの風力タービンであって、前記渦ステーション内の空気の移動によって、大気浮力渦が前記渦ステーションの中心に生成される、前記少なくとも１つの風力タービン；
前記空気が作動流体（例えば、水）で飽和状態または少なくとも部分的に飽和状態になるように、前記渦ステーションの中心またはその近所にある前記渦ステーションへの前記作動流体（例えば、水）の供給部を含み、前記作動流体（例えば、水）は、生成された渦の浮力及び安定性を維持するのを助けるのに十分な量で供給される、渦ステーション。
[実施形態２]
ダストデビル及びウォータースパウトからなる群のうちの１つに類似した渦を生成するための渦ステーションであって、
渦ステーションのための基部を形成する地面プラットフォーム、
空気を旋回する方式で（すなわち、水平循環で）渦ステーション内に、そして渦ステーションの周囲に誘導するための複数のベーン；
集中した空気流の経路内において、前記渦ステーションの中心近所に配置される少なくとも１つの風力タービンであって、渦ステーション内の空気の移動によって、大気浮力渦が渦ステーションの中心に生成される、前記少なくとも１つの風力タービン；
前記渦ステーションの中心またはその近所にある渦ステーションへの気化可能な液体または作動流体（例えば、水）の供給を含み、前記気化可能な液体または作動流体（例えば、水）の前記供給は、アスペクト比（例えば、前記渦の前記コアの幅に対する渦の高さ）を増加させるために、気化可能な流体または作動流体で飽和状態または少なくとも部分的に飽和状態にある前記空気の少なくとも一部を提供するに十分な量または流量で供給され、前記増加したアスペクト比が生成された渦の浮力及び安定性を助ける、渦ステーション。
[実施形態３]
前記気化可能な液体または作動流体は、水であり、選択的に、前記水は加熱水ストリームである、実施形態１または２に記載の渦ステーション。
[実施形態４]
前記渦内に流れる空気は、飽和状態に近付くように十分に調節される、実施形態１〜３のいずれか一項に記載の渦ステーション。
[実施形態５]
前記渦ステーション内に流れる前記空気は、前記生成された渦の浮力及び安定性を維持するために前記生成された渦コア内の凝縮によって十分な量の潜熱を放出させることができるように十分に調節され、これにより、前記渦はそれと異なりに前記渦ステーション内に流れる前記空気を調節することなく、発生するよりも高い高さを達成する、実施形態１〜４のいずれか一項に記載の渦ステーション。
[実施形態６]
前記気化可能な液体または作動流体（例えば、水）は、十分な量で供給されるか、または前記渦ステーションに誘導された空気流は、十分な飽和となるように調整され、比較的高いアスペクト比の渦の発生を可能にする、実施形態１〜５のいずれか一項に記載の渦ステーション。
[実施形態７]
比較的高いアスペクト比は、約１５：１よりも大きい前記生成された渦の前記コアの幅に対する前記渦の高さの比である、実施形態１〜６のいずれか一項に記載の渦ステーション。
[実施形態８]
前記少なくとも１つの風力タービンは、集中した空気流の経路内において、前記渦ステーションの中心近所に位置または配置され、前記渦ステーション内の空気の移動によって、大気浮力渦が前記渦ステーションの中心に生成される、実施形態１〜７のいずれか一項に記載の渦ステーション。
[実施形態９]
前記渦ステーションへの前記気化可能な液体または作動流体（例えば、水）または前記気化可能な液体または作動流体（例えば、水）のソースの提供または供給及びこのように生成された渦は、アスペクト比（例えば、前記渦のコアの幅に対する前記渦の高さ）を増加させるのを助けて、前記増加したアスペクト比が生成された渦の浮力及び安定性の増加を助ける、実施形態１〜８のいずれか一項に記載の渦ステーション。
[実施形態１０]
前記ベーン及び前記少なくとも１つの風力タービンは、前記地面プラットフォームの境界内にまたはその境界に着座する、実施形態１〜９のいずれか一項に記載の渦ステーション。
[実施形態１１]
前記渦ステーションへの前記気化可能な液体または作動流体（例えば、水）の前記供給は、ポンピング加熱された気化可能な液体または作動流体（例えば、加熱水または温水）水がマニホールドから供給される複数のノズルによるものである、実施形態１〜１０のいずれか一項に記載の渦ステーション。
[実施形態１２]
前記複数のノズルは、浮力を介して前記渦を駆動させるために、比較的大きな表面積を有する前記気化可能な液体または作動流体（例えば、加熱水または温水）の比較的微細なスプレーを生成して、熱伝達のための十分な表面積が前記気化可能な液体または作動流体（例えば、水蒸気）で飽和状態または少なくとも部分的に飽和状態になる渦ステーション内に誘導される空気流（例えば、温風）を生成または調節できるようにするように構成される、実施形態１１に記載の渦ステーション。
[実施形態１３]
前記渦ステーションへの前記気化可能な液体または作動流体（例えば、水）の前記供給は、浮力を介して渦を駆動させ、軸方向の歪みを提供する垂直加速度を介する上昇時にコアを安定化させるために、比較的大きな表面積を有する前記気化可能な液体または作動流体（例えば、加熱水または温水）の微細なスプレーを生成して、熱伝達のための十分な表面積が前記気化可能な液体または作動流体（例えば、水蒸気）で飽和する温風の前記渦内に空気流を生成できるようにするように、ポンピング加熱された気化可能な液体または作動流体（例えば、加熱水または温水）がマニホールドから供給される複数のノズルである、実施形態１１に記載の渦ステーション。
[実施形態１４]
前記複数のノズルは、比較的大きな表面積を有する気化可能な液体または作動流体（例えば、加熱水または温水）の比較的微細なスプレーを生成して、熱伝達のための十分な表面積が気化可能な液体または作動流体（例えば、水蒸気）の蒸気で飽和状態または少なくとも部分的に飽和状態になる前記渦ステーション内に誘導される空気流（例えば、温風）を生成または調節できるようにするように構成される、実施形態１１に記載の渦ステーション。
[実施形態１５]
前記渦ステーションの前記基部またはその近所にある前記渦の空気流への気化可能な液体または作動流体（例えば、水）の提供または供給されたソースは、前記渦に導入された空気の空気流の飽和レベルを増加させるか、前記空気流の飽和（例えば、１００％相対湿度までの相対湿度）を達成するのに十分な体積または量で提供される、実施形態１〜１４のいずれか一項に記載の渦ステーション。
[実施形態１６]
一旦気化されて渦に誘導された空気の流れ内に含まれる、気化可能な液体または作動流体（例えば、水）の提供または供給されたソースは、前記渦によって高さまで上昇され、温度または環境条件にさらされて前記蒸気の少なくとも一部が凝縮され、これによって前記高さで凝縮内の潜熱の放出を誘発する、実施形態１〜１５のいずれか一項に記載の渦ステーション。
[実施形態１７]
前記気化可能な液体または作動流体（例えば、水）の提供または供給されたソースは、前記渦が前記渦ステーション内で維持され動作される間に、前記渦に導入される空気流に持続的な方式で（すなわち、連続的に提供または供給され得る）渦に誘導される空気の流れに提供または供給される、実施形態１〜１６のいずれか一項に記載の渦ステーション。
[実施形態１８]
前記渦ステーションに誘導される空気流を調整するための前記気化可能な液体または作動流体（例えば、水）の提供または供給されたソースは、前記渦ステーションの生成された渦に導入される前記空気の飽和または湿度を増加させる、実施形態１〜１７のいずれか一項に記載の渦システム。
[実施形態１９]
前記渦ステーションは、実質的に地面レベルのフラットベッドまたはプラットフォームである、実施形態１〜１８のいずれか一項に記載の渦ステーション。
[実施形態２０]
前記ベーンは、前記渦ステーションの周辺部の周囲に実質的に円形方式に構成または配列される、実施形態１〜１９のいずれか一項に記載の渦ステーション。
[実施形態２１]
前記ベーンは、複数の調整可能なディフレクタを含む、実施形態１〜２０のいずれか一項に記載の渦ステーション。
[実施形態２２]
前記ベーンは、固定されたベーンセットを含み得る、実施形態１〜２１のいずれか一項に記載の渦ステーション。
[実施形態２３]
前記ベーンは、セールである、実施形態１〜２２のいずれか一項に記載の渦ステーション。
[実施形態２４]
前記セールは、織物で構成される、実施形態２３に記載の渦ステーション。
[実施形態２５]
前記調整可能なディフレクタベーンは、手動または遠隔で調整可能な、実施形態２１に記載の渦ステーション。
[実施形態２６]
前記渦ステーションは、前記渦ステーションの中心にルーフをさらに含む、実施形態１〜２５のいずれか一項に記載の渦ステーション。
[実施形態２７]
前記ルーフは環状であり、及び／または前記少なくとも１つのタービン上に配置され、前記少なくとも１つのタービンから外に延びる、実施形態２６に記載の渦ステーション。
[実施形態２８]
前記風力タービンは、前記ステーションの垂直中心線の周囲を回転して前記渦の基部で最も集中した空気流の領域内に着座する垂直ブレードからなり、前記ブレードによって掃引されるシリンダー形状にわたって半径方向の圧力差を生成して、外部風力によって横方向に移動されることに対して前記渦の基部を安定化させる、実施形態１〜２７のいずれか一項に記載の渦ステーション。
[実施形態２９]
前記風力タービンは、前記ステーションの垂直中心線の周囲を回転して前記渦の基部で最も集中した空気流の領域内に着座する垂直ブレードを含み、外部風力によって横方向に移動されることに対して前記渦の基部を安定化させるように、前記ブレードによって掃引されるシリンダー形状にわたって半径方向の圧力差を生成する、実施形態１〜２８のいずれか一項に記載の渦ステーション。
[実施形態３０]
前記複数の同心タービンが使用されるか、または複数の同心ブレードセットが提供される単一のタービンが使用される、実施形態１〜２９のいずれか一項に記載の渦ステーション。
[実施形態３１]
前記風力タービンは、前記環状ルーフの内径の下に着座される、実施形態３０に記載の渦ステーション。
[実施形態３２]
前記ポンピングされた気化可能な液体または作動流体（例えば、加熱水または温水）のためのマニホールド及びノズルは、前記渦ステーション内に誘導された空気流の領域内で、前記渦ステーションの環状ルーフの下及び地平面上に着座される、実施形態１〜３１のいずれか一項に記載の渦ステーション。
[実施形態３３]
前記ノズルは、前記気化可能な液体または作動流体（例えば、水）を前記渦ステーション内に誘導される前記空気流内に、そして前記空気流に対して反対方向に誘導する、実施形態１１に記載の渦ステーション。
[実施形態３４]
前記ノズルは、前記気化可能な液体または作動流体（例えば、加熱水または温水）のミストまたはスプレーを生成または発生させるように構成される、実施形態３３に記載の渦ステーション。
[実施形態３５]
前記渦ステーションは、凹形状であるフロアを含む、実施形態１〜３４のいずれか一項に記載の渦ステーション。
[実施形態３６]
前記渦ステーションの前記フロアは、液体気化可能な液体または作動流体（例えば、水）の収集のためのドレーンを含み、選択的に、前記ドレーンは前記フロア内の中心に配置される、実施形態３５に記載の渦ステーション。
[実施形態３７]
前記ドレーンは、リザーバまたは貯蔵設備に流体連結される、実施形態３６に記載の渦ステーション。
[実施形態３８]
前記リザーバまたは貯蔵設備内に収集された液体は、再使用またはリサイクルされ得る、実施形態３７に記載の渦ステーション。
[実施形態３９]
渦ステーション内で人工渦の安定性を増加させる方法であって、
−渦ステーションのための基部を形成する地面プラットフォームを提供するステップ、
−複数のベーンを介して前記渦ステーション内に空気の供給を提供するステップであって、前記ベーンは、前記供給された空気を前記空気の旋回を開始するようにする方式で前記渦ステーション内に誘導するように構成された、前記提供するステップ、
−集中した空気流の経路内において、前記渦ステーションの中心近所に配置された少なくとも１つの風力タービンを提供及び位置決めするステップであって、前記渦ステーション内の空気の移動によって、大気浮力渦が前記渦ステーションの中心に生成される、前記提供及び位置決めするステップ、及び
−前記渦ステーションの中心またはその近所で、前記渦ステーションに気化可能な液体または作動流体（例えば、水）を供給するステップを含み、前記気化可能な液体または作動流体（例えば、加熱水または温水ストリーム）の前記供給は、アスペクト比を増加させるために、部分飽和または飽和状態にある空気の少なくとも一部を提供するのに十分な量または流量で供給され、前記増加したアスペクト比が前記生成された渦の浮力及び安定性を助ける、渦ステーション内において人工渦の安定性を増加させる方法。
[実施形態４０]
渦ステーションから生成された人工渦を維持するための方法であって、
−前記渦ステーションのための基部を形成する地面プラットフォームを提供するステップ、
−空気流を実質的に旋回する方式で（例えば、水平循環で）前記渦ステーション内に誘導するために、前記渦ステーションの周辺部の周囲に複数のベーンを提供及び配列するステップ、及び
−前記渦ステーションの中心またはその近所で、前記渦ステーションに気化可能な液体または作動流体（例えば、水）のソースを提供または供給するステップを含み、前記気化可能な液体または作動流体（例えば、水）の前記供給は、飽和状態または少なくとも部分的に飽和状態にある前記渦ステーション内に発生した渦に導入される前記空気流の少なくとも一部を提供するのに十分な量または流量で供給され、渦が生成されると、前記気化可能な液体または作動流体（例えば、水）の前記ソースを続いて提供または供給する、渦ステーションから生成された人工渦を維持するための方法。
【手続補正２】
【補正対象書類名】特許請求の範囲
【補正対象項目名】全文
【補正方法】変更
【補正の内容】
【特許請求の範囲】
【請求項１】
渦を生成するための渦ステーションであって、
前記渦ステーションのための基部を形成する地面プラットフォーム、
空気流を実質的に旋回する方式で前記渦ステーション内に、そして前記渦ステーションの周囲に誘導するための複数のベーン；
集中した空気流の経路内において、前記渦ステーションの中心近所に位置されるか、または配置された少なくとも１つの風力タービンであって、前記渦ステーション内の空気の移動によって、大気浮力渦が前記渦ステーションの中心に生成される、前記少なくとも１つの風力タービン；
前記空気の少なくとも一部が気化可能な液体または作動流体で飽和状態または少なくとも部分的に飽和状態になるように、前記渦ステーションの中心またはその近所にある前記渦ステーションへの前記気化可能な液体または作動流体の供給部を含み、前記気化可能な液体または作動流体は、生成された渦の浮力及び安定性を維持するのを助けるのに十分な量または流量で供給される、渦ステーション。
【請求項２】
前記気化可能な液体または作動流体が十分な量または流量で供給されるか、または、前記渦ステーションに誘導された空気流は、十分な飽和になるように調節され、アスペクト比、好ましくは、前記渦のコアの幅に対する渦の高さを増加させて、生成された前記渦の浮力及び安定性を助ける、請求項１に記載の渦ステーション。
【請求項３】
前記気化可能な液体または作動流体は、水または加熱水ストリームである、請求項１または２に記載の渦ステーション。
【請求項４】
前記渦内に流れる空気は、飽和状態に近付くように十分に調節される、請求項１〜３のいずれか一項に記載の渦ステーション。
【請求項５】
前記渦ステーション内に流れる前記空気は、前記生成された渦の浮力及び安定性を維持するために前記生成された渦のコア内の凝縮によって十分な量の潜熱を放出させることができるように十分に調節され、これにより、前記渦はそれと異なりに前記渦ステーション内に流れる前記空気を調節することなく、発生するよりも高い高さを達成する、請求項１〜４のいずれか一項に記載の渦ステーション。
【請求項６】
比較的高いアスペクト比は、約１５：１よりも大きい前記生成された渦のコアの幅に対する前記渦の高さの比である、請求項１〜５のいずれか一項に記載の渦ステーション。
【請求項７】
前記ベーン及び前記少なくとも１つの風力タービンは、前記地面プラットフォームの境界内にまたはその境界に着座する、請求項１〜６のいずれか一項に記載の渦ステーション。
【請求項８】
前記渦ステーションへの前記気化可能な液体または作動流体の前記供給は、ポンピング加熱された気化可能な液体または作動流体がマニホールドから供給される複数のノズルによるものである、請求項１〜７のいずれか一項に記載の渦ステーション。
【請求項９】
前記複数のノズルは、気化可能な液体または作動流体の比較的微細なスプレーを生成するように構成される、請求項８に記載の渦ステーション。
【請求項１０】
前記渦ステーションの前記基部またはその近所にある前記渦の空気流への気化可能な液体または作動流体の提供または供給されたソースは、前記渦に導入された空気の空気流の飽和レベルを増加させるか、前記空気流の飽和を達成するのに十分な体積または量で提供される、請求項１〜９のいずれか一項に記載の渦ステーション。
【請求項１１】
一旦気化されて渦に誘導された空気の流れ内に含まれる、気化可能な液体または作動流体の提供または供給されたソースは、前記渦によって高さまで上昇され、温度または環境条件にさらされて蒸気の少なくとも一部が凝縮され、これによって前記高さで凝縮内の潜熱の放出を誘発する、請求項１〜１０のいずれか一項に記載の渦ステーション。
【請求項１２】
前記気化可能な液体または作動流体の提供または供給されたソースは、前記渦が前記渦ステーション内で維持され動作される間に、連続的に前記渦に誘導される空気流に提供または供給される、請求項１〜１１のいずれか一項に記載の渦ステーション。
【請求項１３】
前記渦ステーションは、実質的に地面レベルのフラットベッドまたはプラットフォームである、請求項１〜１２のいずれか一項に記載の渦ステーション。
【請求項１４】
前記ベーンは、前記渦ステーションの周辺部の周囲に実質的に円形方式に構成または配列される、請求項１〜１３のいずれか一項に記載の渦ステーション。
【請求項１５】
前記ベーンは、複数の調整可能なディフレクタを含む、請求項１〜１４のいずれか一項に記載の渦ステーション。
【請求項１６】
前記ベーンは、固定されたベーンセットを含み得る、請求項１〜１５のいずれか一項に記載の渦ステーション。
【請求項１７】
前記ベーンは、セールである、請求項１〜１６のいずれか一項に記載の渦ステーション。
【請求項１８】
前記セールは、織物で構成される、請求項１７に記載の渦ステーション。
【請求項１９】
前記調整可能なディフレクタベーンは、手動または遠隔で調整可能な、請求項１５に記載の渦ステーション。
【請求項２０】
前記渦ステーションは、前記渦ステーションの中心にルーフをさらに含む、請求項１〜１９のいずれか一項に記載の渦ステーション。
【請求項２１】
前記ルーフは環状であり、及び／または前記少なくとも１つのタービン上に配置され、前記少なくとも１つのタービンから外に延びる、請求項２０に記載の渦ステーション。
【請求項２２】
前記風力タービンは、前記渦ステーションの垂直中心線の周囲を回転して前記渦の基部で最も集中した空気流の領域内に着座する垂直ブレードを含み、外部風力によって横方向に移動されることに対して前記渦の基部を安定化させるように、前記垂直ブレードによって掃引されるシリンダー形状にわたって半径方向の圧力差を生成する、請求項１〜２１のいずれか一項に記載の渦ステーション。
【請求項２３】
前記複数の同心タービンが使用されるか、または複数の同心ブレードセットが提供される単一のタービンが使用される、請求項１〜２２のいずれか一項に記載の渦ステーション。
【請求項２４】
前記風力タービンは、前記環状ルーフの内径の下に着座される、請求項２３に記載の渦ステーション。
【請求項２５】
ポンピングされた気化可能な液体または作動流体のためのマニホールド及びノズルは、前記渦ステーション内に誘導された空気流の領域内で、前記渦ステーションの環状ルーフの下及び地平面上に着座される、請求項１〜２４のいずれか一項に記載の渦ステーション。
【請求項２６】
前記ノズルは、前記気化可能な液体または作動流体を前記渦ステーション内に誘導される前記空気流内に、そして前記空気流に対して反対方向に誘導する、請求項８に記載の渦ステーション。
【請求項２７】
前記渦ステーションは、凹形状であるフロアを含む、請求項１〜２６のいずれか一項に記載の渦ステーション。
【請求項２８】
前記渦ステーションの前記フロアは、前記液体気化可能な液体または作動流体の収集のためのドレーンを含み、選択的に、前記ドレーンは前記フロア内の中心に配置される、請求項２７に記載の渦ステーション。
【請求項２９】
前記ドレーンは、リザーバまたは貯蔵設備に流体連結される、請求項２８に記載の渦ステーション。
【請求項３０】
前記リザーバまたは貯蔵設備内に収集された液体は、再使用またはリサイクルされ得る、請求項２９に記載の渦ステーション。
【請求項３１】
渦ステーション内で人工渦の安定性を増加させる方法であって、
−複数のベーンを介して前記渦ステーション内に空気の供給を提供するステップであって、前記ベーンは、前記供給された空気を前記空気の旋回を開始するようにする方式で前記渦ステーション内に誘導するように構成された、前記提供するステップ、
−大気浮力渦を前記渦ステーションの中心に生成するステップ、及び
−前記渦ステーションの中心またはその近所で、前記渦ステーションに気化可能な液体または作動流体を供給するステップを含み、前記気化可能な液体または作動流体の前記供給は、好ましくは前記渦のアスペクト比を増加させるために、部分飽和または飽和状態にある空気の少なくとも一部を提供するのに十分な量または流量で供給され、前記生成された渦の浮力及び安定性を助ける、渦ステーション内において人工渦の安定性を増加させる方法。